(57)【要約】【課題】左右いずれかのねじ溝が形成されたねじ孔を有するカプラーに対し、左右両方向に螺合するねじ節鉄筋であって、カプラーに螺合させた状態において、十分な引張強度を確保することのできるねじ節鉄筋を提供することを目的とする。【解決手段】ねじ溝２１が形成されたねじ孔２ａを有するカプラー２に対し、左右両方向に螺合するねじ節鉄筋１は、複数のねじ節１２が、鋼棒１１の外周面上に、軸心方向に一定のピッチで形成されており、ねじ節１２は、左ねじと右ねじを同時に構成する。このねじ節１２は、略平行四辺形形状からなり、ねじ節１２の略平行四辺形形状を構成する四辺のうち、互いに平行な一の一対の辺が左ねじ１２１、１２２を構成し、互いに平行な他の一対の辺が右ねじ１２３、１２４を構成する。【選択図】図２
2014020025.tif 000002
【特許請求の範囲】
【請求項１】
ねじ溝が形成されたねじ孔を有するカプラーに対し、左右両方向に螺合するねじ節鉄筋であって、
複数のねじ節が、鋼棒の外周面上に、軸心方向に一定のピッチで形成されており、
上記ねじ節は、左ねじと右ねじを同時に構成する、
ことを特徴とするねじ節鉄筋。
【請求項２】
上記ねじ節は、略平行四辺形形状からなり、
上記ねじ節の略平行四辺形形状を構成する四辺のうち、互いに平行な一の一対の辺が左ねじを構成し、互いに平行な他の一対の辺が右ねじを構成する、
請求項１記載のねじ節鉄筋。
【請求項３】
上記請求項１又は２記載のねじ節鉄筋と、両端が開口し、軸心方向の中央部分を境に、一方に左ねじ、他方に右ねじのねじ溝が形成されたねじ孔を有するカプラーと、からなる機械式継手であって、
上記カプラーのねじ孔の両端開口部から夫々、上記ねじ節鉄筋が螺合される、
ことを特徴とするねじ節鉄筋の機械式継手。
【発明の詳細な説明】
【技術分野】
【０００１】
本発明は、左右いずれかのねじ溝が形成されたねじ孔を有するカプラーに対し、左右両方向に螺合するねじ節鉄筋に関する。
【背景技術】
【０００２】
従来、鉄筋コンクリート造において、コンクリートを補強するための鉄筋は、カプラーを用いて縦継ぎされるが、コンクリートに対する定着性や、カプラーに対する引張強度を向上させるべく、外周面上にねじ節を設けたねじ節鉄筋が用いられている。
【０００３】
ねじ節鉄筋は通常、外周面上に左ねじ又は右ねじのいずれかの雄ねじとしてのねじ節が形成されており、左右いずれかのねじ溝が形成されたねじ孔を有するカプラーに螺合させることにより、ねじ節鉄筋とカプラーとが連結される。
このように、ねじ節鉄筋とカプラーは、雌雄のねじ構造によって連結が行われるため、ねじ方向が相互に対応したものでなければ連結することができない。そのため、工事現場等においては、ねじ節鉄筋及びカプラーについて、左ねじ又は右ねじの種類ごとに仕分けが必要であり、作業中も常に、ねじの方向に留意しなければならず、作業に煩雑さを伴っていた。
【０００４】
この点、特許文献１では、左ねじ用の節と右ねじ用の節の両方が設けられたねじ節鋼棒が提案されている。
【先行技術文献】
【特許文献】
【０００５】
【特許文献１】実願昭５６−０７５８１５号（実開昭５７−１９００１８号）のマイクロフィルム
【発明の概要】
【発明が解決しようとする課題】
【０００６】
上記特許文献１記載のねじ節鋼棒は、左ねじ又は右ねじのいずれのねじ溝が形成されたカプラーにも螺合可能であるため、工事現場等において、左方向と右方向のねじを切った２種類の鋼棒を用意する必要がないし、ねじの種類に合わせた仕分を行う必要もない。
【０００７】
しかしながら、このねじ節鋼棒はその外周面上において、軸心方向に、右ねじ用のねじ節と、左ねじ用のねじ節とを交互に形成した構造からなる。このような構造を有することから、例えば、右ねじのねじ溝が内周面全体に形成されたねじ孔を有するカプラーに対し、右ねじ方向にねじ節鋼棒を螺合させようとする場合、ねじ節鋼棒の左ねじ用のねじ節は、カプラーの右ねじのねじ溝に嵌入せず、したがって、カプラーにねじ節鋼棒を螺合させることができない。なお、このようなことは左ねじのねじ溝が形成されたカプラーに対して左ねじ方向にねじ節鋼棒を螺合させる場合も同様である。
【０００８】
このような問題を解決するため、上記特許文献１記載の技術では、カプラーのねじ孔の内周面に、ねじ節鋼棒上に形成された左右いずれか一方向のねじ節が嵌入するねじ溝と、このねじ溝に嵌入せず、螺合を妨げる他方向のねじ節を逃がすための溝とを交互に形成している。
即ち、上記特許文献１記載の技術では、上記のような専用のカプラーを用意する必要があった。また、カプラーのねじ孔には、ねじ節鋼棒の螺合方向と異なる方向のねじ節であって、ねじ節鋼棒の螺合を妨げるねじ節を逃がすための溝を一定のピッチで設けることになり、この溝の部分は、ねじ節鋼棒とカプラーの引張強度に寄与しない。その結果、ねじ節鋼棒とカプラーとを連結した構造全体の強度を十分に確保できないという課題を有している。
【０００９】
そこで、本発明は、左右いずれかのねじ溝が形成されたねじ孔を有するカプラーに対し、左右両方向に螺合するねじ節鉄筋であって、カプラーに螺合させた状態において、十分な引張強度を確保することのできるねじ節鉄筋を提供することを目的とする。
【課題を解決するための手段】
【００１０】
上記目的を達成するため、本発明の一の観点に係るねじ節鉄筋は、ねじ溝が形成されたねじ孔を有するカプラーに対し、左右両方向に螺合するねじ節鉄筋であって、複数のねじ節が、鋼棒の外周面上に、軸心方向に一定のピッチで形成されており、上記ねじ節は、左ねじと右ねじを同時に構成することを特徴とする。
【００１１】
また、上記ねじ節は、略平行四辺形形状からなり、上記ねじ節の略平行四辺形形状を構成する四辺のうち、互いに平行な一の一対の辺が左ねじを構成し、互いに平行な他の一対の辺が右ねじを構成するものとしてもよい。
【００１２】
また、本発明の別の観点に係るねじ節鉄筋の機械式継手は、上記ねじ節鉄筋と、両端が開口し、軸心方向の中央部分を境に、一方に左ねじ、他方に右ねじのねじ溝が形成されたねじ孔を有するカプラーと、からなる機械式継手であって、上記カプラーのねじ孔の両端開口部から夫々、上記ねじ節鉄筋が螺合されることを特徴とする。
【発明の効果】
【００１３】
本発明によれば、左右いずれかのねじ溝が形成されたねじ孔を有するカプラーに対し、左右両方向に螺合するねじ節鉄筋であって、カプラーに螺合させた状態において、十分な引張強度を確保することのできるねじ節鉄筋を提供することができる。
【図面の簡単な説明】
【００１４】
【図１】本発明の実施形態に係るねじ節鉄筋を示す（ａ）平面図、（ｂ）側面図である。
【図２】本実施形態に係るねじ節鉄筋を左ねじのカプラーに螺合させた状態を示す部分断面図である。
【図３】本実施形態に係るねじ節鉄筋を左ねじのカプラーに螺合させた状態を示す部分断面図であって、図２の状態からねじ節鉄筋を四分の一回転させた状態である。
【図４】本実施形態に係るねじ節鉄筋を右ねじのカプラーに螺合させた状態を示す部分断面図である。
【図５】本実施形態に係るねじ節鉄筋を右ねじのカプラーに螺合させた状態を示す部分断面図であって、図４の状態からねじ節鉄筋を四分の一回転させた状態である。
【図６】本実施形態に係るねじ節鉄筋の両側面を模式的に示す展開図である。
【図７】本実施形態に係るねじ節鉄筋をカプラーに螺合させた状態を示す部分断面図である。
【図８】本実施形態に係るねじ節鉄筋をカプラーに螺合させた状態を示す部分断面図であって、図７の状態からねじ節鉄筋を四分の一回転させた状態である。
【発明を実施するための形態】
【００１５】
次に、本発明の実施形態に係るねじ節鉄筋について、図を参照して説明する。
図１（ａ）に示されるように、本実施形態に係るねじ節鉄筋１は、断面円形の棒状の鋼棒１１の外周面に、複数のねじ節１２を一定のピッチで軸心方向に形成した構造からなる。
ねじ節１２は、図１（ｂ）に示されるように、鋼棒１１の一側面に一定のピッチで軸心方向に形成されると共に、当該一側面とは反対側の側面にも、当該一側面に形成されたねじ節１２と互い違いに一定のピッチで軸心方向に形成されている。
【００１６】
各ねじ節１２はいずれも、各辺の長さが略同じ略平行四辺形形状（略菱形形状）からなり、この略平行四辺形形状の四辺のうち、互いに平行な一の一対の辺が左ねじ１２１、１２２の雄ねじを構成し、互いに平行な他の一対の辺が右ねじ１２３、１２４の雄ねじを構成している。
【００１７】
また、ねじ節１２の互いに平行な一対の辺、即ち、左ねじ１２１、１２２又は右ねじ１２３、１２４それぞれの間の距離は、図２〜図５に示されるように、カプラー２、３のねじ溝２１、３１の幅よりも僅かに狭く、ねじ節１２がねじ溝２１、３１に螺合するようになっている。
なお、図面上、各ねじ節１２の縁にはテーパーが設けられているが、特に設けなくともよい。
【００１８】
続いて、ねじ節鉄筋１とカプラー２の螺合について、図２、図３、及び図６を参照しながら、ねじ節鉄筋１をカプラー２に螺合させる工程に基づいて説明する。
なお、カプラー２は、筒状の鋼管であって、左回りのねじ溝２１が内周面に形成されたねじ孔２ａを有している。
また、図６では、説明の便宜のため、個々のねじ節１２を個別に識別して、側面ａに形成されているねじ節１２を端から順にねじ節１２ａ−１〜１２ａ−７とし、側面ｂに形成されているねじ節１２を端から順にねじ節１２ｂ−１〜１２ｂ−６としている。
【００１９】
ねじ節鉄筋１は、カプラー２のねじ孔２ａに左回りで螺合する。この際、ねじ節１２の左ねじ１２１、１２２のみが、ねじ溝２１の溝壁に沿って摺動する。
ねじ孔２ａのねじ溝２１にはまず、ねじ節１２ａ−１の左ねじ１２１、１２２が螺合し、次いで、ねじ節１２ｂ−１の左ねじ１２１、１２２が螺合する。同様にして、ねじ節１２ａ−２の左ねじ１２１、１２２、ねじ節１２ｂ−２の左ねじ１２１、１２２、ねじ節１２ａ−３の左ねじ１２１、１２２、ねじ節１２ｂ−３の左ねじ１２１、１２２・・・と順に螺合していく。
【００２０】
このようにねじ節鉄筋１をカプラー２に螺合させるため、ねじ節鉄筋１のねじ節１２は、全てのねじ節１２の左ねじ１２１が同一の螺旋上に位置すると共に、全てのねじ節１２の左ねじ１２２が、左ねじ１２１とは異なる他の同一の螺旋上に位置する。
これにより、全てのねじ節１２の左ねじ１２１が、ねじ溝２１の一方側の溝壁に沿って摺動すると共に、全てのねじ節１２の左ねじ１２２が、ねじ溝２１の他方側の溝壁に沿って摺動しながら、ねじ節鉄筋１がカプラー２に螺合する。
【００２１】
ねじ節鉄筋１は、このように左回りのねじ溝２１が形成されたカプラー２に螺合するが、これと同様にして、図４、図５に示される、右回りのねじ溝３１が形成されたカプラー３にも螺合する。
【００２２】
即ち、ねじ節鉄筋１は、カプラー３のねじ孔３ａに右回りで螺合する。この際、ねじ節１２の右ねじ１２３、１２４のみが、ねじ溝３１の溝壁に沿って摺動する。
ねじ孔３ａのねじ溝３１にはまず、ねじ節１２ａ−１の右ねじ１２３、１２４が螺合し、次いで、ねじ節１２ｂ−１の右ねじ１２３、１２４が螺合する。同様にして、ねじ節１２ａ−２の右ねじ１２３、１２４、ねじ節１２ｂ−２の右ねじ１２３、１２４、ねじ節１２ａ−３の右ねじ１２３、１２４、ねじ節１２ｂ−３の右ねじ１２３、１２４・・・と順に螺合していく。
【００２３】
このようにねじ節鉄筋１をカプラー３に螺合させるため、ねじ節鉄筋１のねじ節１２は、全てのねじ節１２の右ねじ１２３が同一の螺旋上に位置すると共に、全てのねじ節１２の右ねじ１２４が、左右じ１２３とは異なる他の同一の螺旋上に位置する。
これにより、全てのねじ節１２の右ねじ１２３が、ねじ溝３１の一方側の溝壁に沿って摺動すると共に、全てのねじ節１２の右ねじ１２４が、ねじ溝３１の他方側の溝壁に沿って摺動しながら、ねじ節鉄筋１がカプラー３に螺合する。
【００２４】
以上のように、ねじ節鉄筋１のねじ節１２には、左ねじ１２１、１２２と右ねじ１２３、１２４の両方が形成されており、これにより、ねじ節鉄筋１は、左回り又は右回りのいずれの溝が形成されたカプラーにも螺合させることができる。
【００２５】
続いて、一対の本実施形態に係るねじ節鉄筋１を連結する機械式継手の一例について、図７、図８を参照して説明する。
カプラー４は、両端が開口したねじ孔４ａを有する筒状の鋼管である。このカプラーのねじ孔４ａの内周面には、中央部分を境に、一方側に左回りのねじ溝４１、他方側にねじ溝４１とは逆の右回りのねじ溝４２が形成されている。
【００２６】
このカプラー４によって一対のねじ節鉄筋１を連結する場合、まず、カプラー４のねじ孔４ａに、一方側から一のねじ節鉄筋１を螺入させると共に、他方側から別のねじ節鉄筋１を螺入させる。
この際、ねじ孔４ａの左回りのねじ溝４１には、ねじ節鉄筋１のねじ節１２が、左ねじ１２１、１２２によって螺合する。また、ねじ孔４ａの右回りのねじ溝４２には、ねじ節鉄筋１のねじ節１２が、右ねじ１２３、１２４によって螺合する。
【００２７】
カプラー４のねじ孔４ａ内に、一対のねじ節鉄筋１をある程度螺入させた後は、カプラー４を所定の方向に回転させることで、ターンバックルの要領で一対のねじ節鉄筋１が同時にねじ孔４ａ内へ案内される。
【００２８】
このように、カプラー４を回転させることで、ターンバックルの要領で一対のねじ節鉄筋１を連結するができるが、ねじ節鉄筋１が左右両方向に螺合可能なため、カプラー４の一方側と他方側それぞれに応じて、左ねじあるいは右ねじの異なるねじ鉄筋を用意する必要がない。そのため、材料の仕分けの面倒がないし、左ねじあるいは右ねじのねじ節鉄筋を意識して配筋する必要がなく、便利である。
【符号の説明】
【００２９】
１      ねじ節鉄筋
１１    鋼棒
１２    ねじ節
１２１  左ねじ
１２２  左ねじ
１２３  右ねじ
１２４  右ねじ
２      カプラー
２ａ    ねじ孔
２１    ねじ溝
３      カプラー
３ａ    ねじ孔
３１    ねじ溝
４      カプラー
４ａ    ねじ孔
４１    ねじ溝
４２    ねじ溝
【図１】
2014020025.tif 000003
【図２】
2014020025.tif 000004
【図３】
2014020025.tif 000005
【図４】
2014020025.tif 000006
【図５】
2014020025.tif 000007
【図６】
2014020025.tif 000008
【図７】
2014020025.tif 000009
【図８】
2014020025.tif 000010